(57)【要約】【課題】原稿サイズ検知時のランプ点光量を制御することで、ランプの光がユーザの目に入射する際の光量を低減することで不快感を緩和するとともに、可能な限り原稿サイズ誤検知を低減することのできる画像読取装置を提供すること目的とする。【解決手段】原稿照射手段と、該原稿照射手段により原稿を走査して原稿の複数ラインの画像データを取得し、該データを用いて原稿の主走査サイズを判定する画像読取装置において、前記原稿照射手段の照射光量を増減可能な第１の制御手段と、原稿の主走査サイズを判定する際の画像データの取得時に原稿照射手段の照射光量を増減させる第２の制御手段とを備えた。【選択図】        図１
2007124319.tif 000002
【特許請求の範囲】
【請求項１】
原稿照射手段と、該原稿照射手段により原稿を走査して原稿の複数ラインの画像データを取得し、該画像データを用いて原稿の主走査サイズを判定する画像読取装置において、
原稿の主走査サイズを判定する際の原稿照射手段の照射光量を所定条件に基づいて設定する照射光量設定手段と、
該設定した照射光量となるように前記原稿照明手段を制御する制御手段を備えたことを特徴とする画像読取装置。
【請求項２】
取得した画像データのうち原稿部の画像データのレベルと非原稿部の画像データのレベルとの差を認識する認識手段と、
前記原稿部の画像データのレベルと非原稿部の画像データのレベルとの差分データおよび画像データ取得時の前記原稿照射手段の照射光量設定値を保存する保存手段をさらに備え、
前記照射光量設定手段は、保存された原稿部の画像データのレベルと非原稿部の画像データのレベルとの差の情報に基づいて、前記原稿照射手段の照射光量を設定する手段であることを特徴とする請求項１記載の画像読取装置。
【請求項３】
前記照射光量設定手段は、前記原稿部の画像データのレベルと非原稿部の画像データのレベルとの差が基準値と略一致するように、前記原稿照射手段の照射光量を設定するようにしたことを特徴とする請求項２記載の画像読取装置。
【請求項４】
前記照射光量設定手段は、前記原稿部の画像データのレベルと非原稿部の画像データのレベルとの差の情報が不在の場合には、前記原稿照射手段の照射光量を選択可能な最大光量とすることを特徴とする請求項２または請求項３記載の画像読取装置。
【請求項５】
前記基準値を設定可能な基準値設定手段をさらに備えたことを特徴とする請求項３記載の画像読取装置。
【請求項６】
前記照射光量設定手段は、前記原稿照射手段の照射光量を固定的に選択することを特徴とする請求項１記載の画像読取装置。
【発明の詳細な説明】
【技術分野】
【０００１】
本発明は、原稿照射手段と、該原稿照射手段により原稿を走査して原稿の複数ラインの画像データを取得し、該データを用いて原稿の主走査サイズを判定する画像読取装置に関する。
【背景技術】
【０００２】
従来、原稿読取装置において、ブック読取り時に原稿サイズを検知する方式として赤外線センサを用いていたが、近年、赤外線センサを用いずに、原稿読取用のラインセンサを用いて原稿サイズを検知する方式が用いられるようになってきている。
【０００３】
このような原稿読取装置で原稿サイズを検知する場合、主走査サイズのみならず副走査方向のサイズも必要になるが、副走査方向の原稿サイズ検知を行おうとすると、原稿面をプレスキャンする必要が出てくる。
【０００４】
これだとスキャン速度等に影響を及ぼしてしまうので、実際には副走査方向の原稿サイズ検知は従来通り赤外線センサにて行い、主走査方向検知のみ、ラインセンサ読取データを使う方式が主流となっている（特許文献１，２，３参照）。
【特許文献１】特開平１０−２５７２５５号公報
【特許文献２】特開平２０００−１３８７９８号公報
【特許文献３】特開平２００３−１９８８０９号公報
【発明の開示】
【発明が解決しようとする課題】
【０００５】
特許文献１には、圧板開放時に原稿内は白、原稿外は黒であるとして主走査方向の原稿サイズを判断する方式であるが、原稿内に黒が来てしまった場合、ラインセンサ読取り位置を移動させ原稿内が白のラインにてサイズ検知を行うようにしたものが開示されている。
【０００６】
また、特許文献２には、圧板開放時に原稿内は白、原稿外は黒であるとして主走査方向の原稿サイズを判断する方式は特許文献１と同じであるが、ランプが点いた場合とランプが消えた場合と２条件でデータを取り、外乱光の影響を除くことを特徴としている。
【０００７】
このようにして、特許文献１，２に開示されたものは、２種類以上の読取データから原稿サイズ検知の精度を上げるという点で効果はあるが、圧板が閉まるまでの時間が長く、また、照明光をユーザが見てしまうため、ユーザーの目に優しくないという不具合がある。
【０００８】
また、特許文献３に開示されたものも、圧板開放時に原稿内は白、原稿外は黒であるとして主走査方向の原稿サイズを判断する方式は特許文献１と同じであるが、主走査方向複数点でのラインセンサの読取データを用いて主走査原稿サイズを検知することを特徴としている。
【０００９】
この特許文献３では、圧板が閉まるまでの時間は短くて済むが、ランプが点いているかどうかという点は言及しておらず、更に副走査に単純平均してしまっているため、ランプオン／オフ状態により誤動作する可能性が高くなってしまうという不具合がある。
【００１０】
本発明は、かかる実情に鑑みてなされたものであり、原稿サイズ検知時のランプ点光量を制御することで、ランプの光がユーザの目に入射する際の光量を低減することで不快感を緩和するとともに、可能な限り原稿サイズ誤検知を低減することのできる画像読取装置を提供すること目的とする。
【課題を解決するための手段】
【００１１】
本発明は、原稿照射手段と、該原稿照射手段により原稿を走査して原稿の複数ラインの画像データを取得し、該画像データを用いて原稿の主走査サイズを判定する画像読取装置において、原稿の主走査サイズを判定する際の原稿照射手段の照射光量を所定条件に基づいて設定する照射光量設定手段と、該設定した照射光量となるように前記原稿照明手段を制御する制御手段を備えたものである。
【００１２】
また、取得した画像データのうち原稿部の画像データのレベルと非原稿部の画像データのレベルとの差を認識する認識手段と、前記原稿部の画像データのレベルと非原稿部の画像データのレベルとの差分データおよび画像データ取得時の前記原稿照射手段の照射光量設定値を保存する保存手段をさらに備え、前記照射光量設定手段は、保存された原稿部の画像データのレベルと非原稿部の画像データのレベルとの差の情報に基づいて、前記原稿照射手段の照射光量を設定する手段である。
【００１３】
また、前記照射光量設定手段は、前記原稿部の画像データのレベルと非原稿部の画像データのレベルとの差が基準値と略一致するように、前記原稿照射手段の照射光量を設定するものである。
【００１４】
また、前記照射光量設定手段は、前記原稿部の画像データのレベルと非原稿部の画像データのレベルとの差の情報が不在の場合には、前記原稿照射手段の照射光量を選択可能な最大光量とするものである。
【００１５】
また、前記基準値を設定可能な基準値設定手段をさらに備えたものである。
【００１６】
また、前記照射光量設定手段は、前記原稿照射手段の照射光量を固定的に選択するものである。
【発明の効果】
【００１７】
したがって、本発明によれば、原稿照射手段の照射光量を増減する手段を設けたので、原稿サイズ検知時のランプ光量を制御することができ、その結果、ランプの光がユーザの目に入射する際の光量を低減することで不快感を緩和したり、逆に十分な照射光量となるようにランプ光量を設定することで原稿サイズ検知における誤検知を防止することを両立させることが可能となるという効果を得る。
【発明を実施するための最良の形態】
【００１８】
以下、添付図面を参照しながら、本発明の実施の形態を詳細に説明する。
【００１９】
図１は、本発明の一実施例にかかる画像読取装置の概略構成を示す断面図である。なお、この画像読取装置は、コピー機能やプリンタ機能を備えた画像形成装置において、原稿画像を読み取る機能を実現するためのものである。
【００２０】
この画像読取装置は、原稿面をなすコンタクトガラス１上に置いた原稿１０に対してランプ２により光を照射し、第１ミラー３、第２ミラー４、第３ミラー５によって反射させた光をレンズ８によって集光し、ＣＣＤ（電荷結合素子）９上に結像する。
【００２１】
ランプ２及び第１ミラー３が距離Lだけ進む間に第２ミラー４、第３ミラー５は距離Ｌ／２だけ進む。このことにより、光学系の光路長を一定に保ち、原稿全体を走査する。
【００２２】
図２は、図１の画像読取装置の機械構成を示す斜視図である。
【００２３】
ランプ２と第１ミラー３を備えた第１キャリッジ６は駆動ワイヤ１１に取り付けられ,第２ミラー４、第３ミラー５、を備えた第２キャリッジ7はプーリ１２に駆動ワイヤが巻きつけられる。
【００２４】
駆動軸１４に繋がれたワイヤプーリ１５に駆動ワイヤ１１を巻きつけ、タイミングプーリ１６とタイミングベルト１７によって、モータ１８の駆動を伝達する。第１キャリッジ６の一端がホームポジションセンサ１３を横切ってからある一定距離をリターンさせた位置をホームポジションとする。
【００２５】
図３は、本実施例にかかる画像形成装置の一連のコピー動作における電装ブロック図を示す。
【００２６】
スキャナ２１に原稿をセットしてスタートキーを押下すると、スキャナ２１にて原稿読み取り、ＩＰＵ（画像処理ユニット）２２内で一連の画像処理を行い、プリンタ２３に画像データを出力し、紙排出が行われる。
【００２７】
スキャナ２１、ＩＰＵ２２、プリンタ２３内の必要なパラメータはＣＰＵ（中央処理装置）２４の持つＲＡＭ（ランダム・アクセス・メモリ）２５内に保持されており、ＣＰＵ２４により各デバイスに設定が行われる。またパラメータ設定に必要なモード情報は操作部２６を使ってユーザーが指定できるような構成となっており、操作部２６内にあるＣＰＵ２６ａとＣＰＵ２４とが通信を行うことで情報の交換を行っている。
【００２８】
図４は、ＩＰＵ２２の詳細を示している。
【００２９】
スキャナ２１から受け取った原稿読み取りデータに対し、所望の画像処理を実施するが、原稿サイズ検知動作を行う場合、画像処理モジュール２２ａに接続された複数ラインメモリ２２ｂにその画像データを蓄える。また、複数ラインメモリ２２ｂを制御するメモリコントロール２２ｃを併せ持ち、ＣＰＵ２４から複数ラインメモリ２２ｂデータのリード／ライトが可能となっている。
【００３０】
図５は、本実施例にかかる原稿サイズ検知動作シーケンスを示すフローチャートである。以下、図５を用いて原稿サイズ動作を説明する。
【００３１】
キャリッジが原稿サイズ検知位置に載置され、かつ圧板が閉められたことを検知、もしくはユーザが原稿の読取りを開始した時点で原稿サイズ検知動作の開始する（ステップ０１）。
【００３２】
圧板の開閉は、ＤＦ開閉センサのＯＮ／ＯＦＦによって検知する。原稿サイズ検知が開始されると、第１に原稿サイズ検知のために必要な準備を行う（ステップ０２）。ステップ０２においては、図７，８に示すような原稿サイズ検知のための原稿読取りタイミングの設定、および必要に応じてシェーディング補正に必要な準備設定を実行する。
【００３３】
ステップ０２で準備が完了すると、原稿読取りのために原稿の照射を開始する（ステップ０３）。ステップ０３では、ランプ点灯を実行する。図５において、ステップ０２、および、ステップ０３は順次処理するような記載となっているが、特に順序の規定はなく、並行処理することも可能である。
【００３４】
ステップ０２、および、ステップ０３の処理が完了した時点で原稿の読取りを実行する（ステップ０４）。ステップ０４では、原稿サイズ用のライト信号を発生し、ライト信号の有効期間内の画像データ読取りを行って処理を終了する。このとき、キャリッジを移動させて原稿を走査しながら読取りを実行するか、もしくはキャリッジを原稿サイズ検知位置に停止させたまま読取りを実行し、２ライン以上の読取り画像データを取得しても良い。
【００３５】
キャリッジを移動させて原稿を走査しながら読取りを実行する場合には、原稿上の異なる位置の画像を読取ることが可能であり、原稿上の画像データの内容によって原稿サイズの誤検知を招くことを防止するとともに読取りと同時に並行してキャリッジを本来の原稿読取り（本スキャン）位置へ移動させるため、原稿検知後の本スキャン開始までの時間を短縮することができる。
【００３６】
一方、キャリッジを原稿サイズ検知位置に停止させたまま読取れば、原稿台に対する外光の影響や原稿照射用のランプの点灯状態の変化を画像データの内容から明確検出することが可能になるという利点もある（キャリッジを移動させる場合でも検出は不可能ではない）。
【００３７】
ステップ０４で原稿の読取りが完了したら、原稿の照射を終了する（ステップ０５）。ただし、サイズ検知のための原稿読取りが完了した直後に本スキャンを開始するような場合には、ステップ０５の処理を実行せず原稿照射用のランプを点灯したままにする場合もあり得るが、図５には本スキャンを実行するか否かの判断処理は記載しない。
【００３８】
また、ステップ０５の処理は、以下に説明するステップ０６の処理との順序の規定はなく平行処理することも可能である。ステップ０４の処理が完了した時点で、原稿サイズを解析するために読取った原稿画像データの取り出しを行う（ステップ０６）。
【００３９】
本実施例において、読取った原稿画像データの取り出しは、図４に記載されているＣＰＵ２４から複数ラインメモリ２２ｂに保存されたデータを読み出すことで行われる。
【００４０】
ステップ０６で取り出した画像データを解析し、原稿サイズの判定を行う（ステップ０７）。ステップ０７における解析の詳細は、後述する。
【００４１】
ステップ０７において、原稿サイズの判定が成功した場合には、ステップ０８で原稿サイズを決定する。原稿サイズの決定とは具体的には、図４のＣＰＵ２４に接続されたプログラム実行用のＲＡＭ２５に原稿サイズ情報を保存するしておくことであり、以降は必要に応じて決定した原稿サイズ情報を読み出して利用する。原稿サイズの決定後は、原稿サイズ検知動作を完了する（ステップ０９）。
【００４２】
ステップ０７において、原稿サイズの判定に失敗した場合には、原稿サイズを決定せず、原稿サイズ検知動作を完了する（ステップ０９）。
【００４３】
原稿サイズの判定が失敗する例としては、真黒な原稿であったり、原稿台に対する外光の影響や原稿照射用のランプの点灯状態（ランプをＯＮしたが光量が安定していない状態で読取りを実行する等）によって、読取りデータから原稿のサイズを判定することができない場合が考えられる。
【００４４】
以上が本発明における原稿サイズ検知動作の基本シーケンスである。
【００４５】
図６は、メモリコントロール２２ｃの一例を示している。
【００４６】
ラインセンサ読み取り１ラインの基準となるＸＬＳＹＮＣ信号と画素クロックであるところのＰＣＬＫ、ラインセンサ読み取り開始トリガを示すＸＦＳＹＮＣ信号を画像処理モジュール２２ａから受け取り、複数ラインメモリ２２ｂにライトリセット（ＸＷＲＳＴ）信号とライトイネーブル（ＸＷＥ）信号を渡している。
【００４７】
それと共にＣＰＵ２４からメモリライト領域を示す主走査スタート、主走査幅、副走査スタート、副走査幅の４つのパラメータを受け取り、２つの基準信号：ＸＦＳＹＮＣ、ＸＬＳＹＮＣからメモリのライト位置を確定する。
【００４８】
図７に副走査方向のタイミングを、図８に主走査方向のタイミングを示す。メモリコントロールとして上記構成を持つことにより、図９に示すような２次元方向の複数パッチのデータを同時にメモリに書き込むことが可能となる（斜線部がメモリ書込み領域を示す）。
【００４９】
パラメータ、タイミングとして主走査方向、副走査方向としたが、本発明における副走査方向は原稿読み取りに対する副走査方向のみならず、時間の経過をも示すものとしている。図９の横軸ｔは時間の経過を示す例で、Ｔ１、Ｔ２での読取パッチの位置を示している。
【００５０】
図１１は、図５の基本フローチャートの中のステップ０６の具体例を示す。
【００５１】
図９に示すパッチデータを複数ラインメモリ２２ｂから１パッチずつＣＰＵ２４の持つＲＡＭ２５に読み出し、１パッチの平均値を求め２値化を行うことで、パッチの白黒判定を行っている。
【００５２】
まず、ステップ１０１にて白黒判定フロースタートし、ステップ１０２にて１パッチ内の画素数を設定する。その後複数ラインメモリ２２ｂから１画素単位でリードを行い、設定されたＮ画素の加算を行う（ステップ１０３，１０４）。
【００５３】
その後、ステップ１０５にて１パッチ内の平均値を求め、そのパッチの２値化を行う（ステップ１０６）。
【００５４】
その結果からパッチの黒画素、白画素を判定し（ステップ１０７）、白黒判定フローを終了する（ステップ８）。
【００５５】
平均値を求めるフローとしてＮ画素全加算のあと全平均としている（ステップ１０４，１０５）が、例えば主走査方向だけの加算を行い１ラインでの平均を求め、その後次のラインの加算と平均を繰り返し、最終判定を行う方式でも本発明には何ら影響は無い。
【００５６】
次に、本実施例における動作例を、図１０に従って、説明する。
【００５７】
原稿サイズ検知の基本的なアルゴリズムは、圧板が開いている時に原稿の白地部分と原稿外の原稿の無い部分が反射光が無く黒になることを利用している。つまり図１０だとＴＨよりも明るい場合が原稿有り、ＴＨよりも暗い場合が原稿無しとして判定することとなる。
【００５８】
ところが、図１０にあるように地肌濃度が暗い原稿の場合、原稿内を読み取ってもＴＨを越えず原稿無しと誤判定してしまう。
【００５９】
これを防ぐために図１１のステップ１０６にあるように、時間Ｔ１、Ｔ２で読み取ったパッチをＰＡＴ１、ＰＡＴ２とし、ＰＡＴ１とＰＡＴ２との差分値を求め、ΔＤ以上差分がある場合にはＴＨを越えない場合でも原稿有りと判断するようにしている。このとき、ＣＰＵ２４からのパラメータ設定として主走査方向スタート／幅、副走査方向スタート／幅に加え、ΔＤ設定を追加する。
【００６０】
次に、図５の基本フローチャートの中のステップ０７の一例を図１２に示す。
【００６１】
読み取りパッチとして、図９に示すように、Ｌ（ｎ）ＩＮとＬ（ｎ）ＪＵＤＧＥを用いている。Ｌ（ｎ）のｎはラインセンサ読み取りスタートしてから何回目の読み取りかを示し（時間経過を示す）、ＩＮとＪＵＤＧＥは主走査方向の位置を示し、ＩＮが検知対象原稿すべて原稿内に入る主走査位置を、ＪＵＤＧＥが原稿により原稿内／外が切り替わる主走査位置を示している。
【００６２】
まず、検知フローを開始する（ステップ２０１）。
【００６３】
次のステップ２０２にて、検知回数Ｎを設定し、初期値としてｎ＝１を設定する。ステップ２０３にてｎが検知回数を超えていないかどうか判断し、Ｎを超えていた場合、検知できずと判断し検知フローを抜けてしまう。ｎ＝Ｎになるまでは以下の判定を繰り返す。Ｌｎ（ＩＮ）が白かどうかを判定する（ステップ２０４）。
【００６４】
原稿内も黒である場合はランプオフと判断し、ｎ＝ｎ＋１としてステップ２０３に戻る。Ｌｎ（ＩＮ）が白だった場合、Ｌ（ｎ）ＪＵＤＧＥの判定結果を検知候補とし（ステップ２０５）、次のステップに進む。検知候補を得たｎにプラス１を行い、次の読み取り結果の判定を行う。（ステップ２０６）Ｌ（ｎ）ＪＵＤＧＥが黒かどうかを判定する。白だった場合、圧板が閉じてしまった可能性が高いため、ここでの判断は行わず前回検知候補だった結果をそのまま用いることとする。もし黒であった場合は前回よりもランプがより安定していると考えられるので、（ステップ２０７）今回の判定結果を用いることとする。最後に（ステップ２０８）原稿サイズ検知フローを終了する。
【００６５】
図１３は、本発明の他の実施例にかかる処理の一例を示している。この処理は、図５のステップ１０２の原稿の照射を開始する処理における詳細フロー（原稿照射フロー）の一例を示している。
【００６６】
原稿照射フローが開始されると（ステップ３０１）、最初に原稿サイズ検知のための原稿照射か否かを判定する（ステップ３０２）。
【００６７】
判定結果が原稿サイズ検知のための原稿照射である場合には、原稿サイズ検知のために照射光量を増減するように選択する（ステップ３０３）。一方判定結果が原稿サイズ検知のための原稿照射でない場合には通常の原稿画像読取りのために必要な照射光量（基準照射光量）を選択（設定）する（ステップ３０４）。
【００６８】
図１３のフローでは、原稿サイズ検知以外の処理では原稿照射光量の制御は不要であることを前提としている。
【００６９】
ステップ３０３において、照射光量の選択手段は、基準照射光量を中央値として増減させることで実現される。原稿照射手段として一般的なランプを用いる場合には、印加する電圧や電流値を変化させることで光量の増減が可能である。
【００７０】
ステップ３０３、もしくは、ステップ３０４にて、照射光量の選択（設定）が完了したら、原稿照射を開始し（ステップ３０５）、原稿照射フローを終了する（ステップ３０６）。
【００７１】
ところで、原稿部の画像データのレベルと非原稿部（原稿領域外）の画像データのレベルとの差分データの保存はＣＰＵ２４に接続されるＲＡＭ２５へデータを書き込むことで実現される。差分データの保存タイミングは図１１のステップ１０６における差分データ算出時に実行する（保存処理はフローには特に記載しない）。
【００７２】
図１４は、図１３のステップ３０３の詳細なフローであり、それ以外の処理は、図１３と同一なので説明を省略する。
【００７３】
図１４図において、原稿照射光量選択フローが開始されると（ステップ４０１）、保存済みの差分データを読み出す（ステップ４０２）。ステップ４０２で読み出した差分データが原稿サイズ検知基準を満たすか否かの判定を行う（ステップ４０３）。ステップ４０３の判定条件は、例えば、図１１のステップ１０６における比較と同一の処理を用いることができる。すなわち、差分データがΔＤよりも大きい値であれば原稿サイズ検知の基準を満たしていると判断する。
【００７４】
ステップ４０３で差分データが原稿サイズ検知の基準を満たさないと判断された場合は、基準を満たすように照射光量を設定する（ステップ４０５）。原稿照射光量と差分データには光量が増加すれば差分データが大きくなる関係が成り立つので、この関係を利用して照射光量を設定（増やす）する。照射光量の設定後、設定した照射光量を保存する（ステップ４０６）。
【００７５】
一方、ステップ４０３で差分データが原稿サイズ検知の基準を満たすと判断した場合には、保存済みの照射光量を設定する（ステップ４０４）。
【００７６】
図示しないが、他の実施例として、ステップ４０４の処理の代わりに差分データがΔＤと略一致するように照射光量を設定（減らす）ことも可能である
【００７７】
ステップ４０４、もしくは、ステップ４０５にて照射光量の選択（設定）が完了したら、原稿照射を開始し（ステップ４０７）、原稿照射光量選択フローを終了する（ステップ４０８）。
【００７８】
通常、差分データは原稿の種類によって変動するため、例えば、全体的に濃度の高い原稿のサイズを検知する際には原稿部と非原稿部の画像データの差分は小さくなる。本実施例の構成を用いることで原稿の種類による検知精度の劣化を自動的に判定して防止することができる。特に画像濃度等の特性が類似した原稿を読取ることが多い利用状況下で効果がある
【００７９】
図１５は、本発明の別な実施例にかかる処理の一例を示す。この図１５は、図１３のステップ３０３の詳細なフローであり、それ以外の処理は上述した実施例（図１３，１４参照）と同じなので、その説明を省略する。
【００８０】
図１５において、原稿照射光量選択フローが開始されると（ステップ５０１）、保存済みの差分データを読み出す（ステップ５０２）。ステップ５０２で読み出した差分データと基準値との比較を行い、差分データと基準値が略一致しているかの判定を行うう（ステップ５０３）。
【００８１】
ステップ５０３で差分データが基準値と略一致していない判断された場合は、略一致するように照射光量を設定する（ステップ５０５）。原稿照射光量と差分データには光量が増加すれば差分データが大きくなる関係が成り立つので、この関係を利用して照射光量を設定する。照射光量の設定後、設定した照射光量を保存する（ステップ５０６）。
【００８２】
一方、ステップ５０３で差分データが原稿サイズ検知の基準を満たすと判断した場合には、保存済みの照射光量を設定する（ステップ５０４）。
【００８３】
ステップ５０４、もしくは、ステップ５０５にて照射光量の選択（設定）が完了したら、原稿照射を開始し（ステップ５０７）、原稿照射光量選択フローを終了する（ステップ５０８）。
【００８４】
図１６は、本発明のさらに別な実施例にかかる処理の一例を示す。この図１６は、図１３のステップ３０３の詳細なフローであり、それ以外の処理は上述した実施例（図１３，１４参照）と同じなので、その説明を省略する。
【００８５】
図１６において、原稿照射光量選択フローが開始されると（ステップ６０１）、まず、差分データが保存されているかを判定する（ステップ６０２）。保存データが不在の場合には基準照射光量を設定する（ステップ６１０）。ここでは、基準照射光量として、選択可能な最大光量を適用する。
【００８６】
一方、ステップ６０２において、保存データが存在する場合には、保存済みの差分データを読み出す（ステップ６０３）。ステップ６０３で読み出した差分データと基準値との比較を行い、差分データと基準値が略一致しているかの判定を行う（ステップ６０４）。
【００８７】
ステップ６０４で差分データが基準値と略一致していない判断された場合は、略一致するように照射光量を設定する（ステップ６０６）。原稿照射光量と差分データには光量が増加すれば差分データが大きくなる関係が成り立つので、この関係を利用して照射光量を設定する。照射光量の設定後、設定した照射光量を保存する（ステップ６０７）。
【００８８】
一方、ステップ６０４で差分データが原稿サイズ検知の基準を満たすと判断した場合には、保存済みの照射光量を設定する（ステップ６０５）。
【００８９】
ステップ６０５、もしくは、ステップ６０６、もしくは、ステップ６１０にて照射光量の選択（設定）が完了したら、原稿照射を開始し（ステップ６０８）、原稿照射光量選択フローを終了する（ステップ３０９）。
【００９０】
図１７（ａ）は、画像読取り装置の操作を行うための操作部の操作画面の例を示す。この操作画面にて基準値の数値入力を行うことにより、設定が行われ、設定された基準値を元に図１６のフローにおける処理が実行される。
【００９１】
図１７（ｂ）は、原稿サイズ検知時の照射光量値を設定する際の操作部の操作画面の例を示す。この場合には、一例として、基準照射光量に対する比率データを入力している。原稿サイズ検知時の照射光量の設定値はこの比率データと基準照射光量値の乗算結果として得られる。
【００９２】
そして、この設定値に基づき、設定された基準値を元に図１３のフローにおける処理が実行される。具体的には、図１３ステップ１０３において、図１７（ｂ）の操作画面にて設定されたデータに基づく照射光量値を選択（および設定）することで実現される。
【００９３】
以上説明したように、本発明にかかる各実施例では、画像読取り装置における原稿照射手段の照射光量を増減する手段を設けたことで、原稿サイズ検知時のランプ光量を制御することで、ランプの光がユーザの目に入射する際の光量を低減することで不快感を緩和したり、逆に十分な照射光量となるようにランプ光量を設定することで原稿サイズ検知における誤検知を防止することを両立させることが可能となる。
【００９４】
また、原稿部の画像データのレベルと非原稿部（原稿領域外）の画像データのレベルとの差を認識する手段とにより、正常な原稿サイズ検知が可能な最適な照射光量を判断する条件を取得することが可能になり、上述した構成と合わせて原稿サイズ検知精度向上の効果が得られる。
【００９５】
また、原稿の種類に依存しない基準値と差分データとの比較によって照射光量を設定（制御）することで、原稿種類による検知精度の変動に関係なく原稿サイズ検知に必要な照射光量の設定（制御）が可能となり、例えば必要最低限の原稿サイズ検知精度を確保することを前提に基準値を照射光量が最小となるような値に設定することでランプの寿命を向上させたり、ランプが点灯することによるユーザの不快感を低減する効果も期待できる。
【００９６】
また、照射光量制御のための基準値を設定する手段により、画像読取り装置の利用条件（原稿種類や設置環境）に応じた信頼性の高い制御を実現し、検知精度の向上が期待できる。
【００９７】
また、画像読取り装置の利用条件（原稿種類や設置環境）が大きく変動する際に、保存した（原稿部と非原稿部の差に関する）情報による制御では検知精度が保証できない場合に、保存した情報と無関係に照射光量を設けることで、検知精度の保証が期待できる。
【００９８】
なお、本発明は、上述した装置に限らず、デジタル複写機、ファクシミリ、プリンタ、スキャナ、ネットワークファイルサーバ等の画像入出力機器、または、これらのうちの複数の機能を備えたデジタル複合機についても同様にして適用することができる。
【図面の簡単な説明】
【００９９】
【図１】本発明の一実施例にかかる画像読取装置の概略構成を示す断面図。
【図２】図１の画像読取装置の機械構成を示す斜視図。
【図３】本実施例にかかる画像形成装置の一連のコピー動作における電装ブロック図。
【図４】ＩＰＵ２２の詳細の一例を示したブロック図。
【図５】本実施例にかかる原稿サイズ検知動作シーケンスを示すフローチャート。
【図６】メモリコントロール２２ｃの一例を示したブロック図。
【図７】メモリコントロール２２ｃの副走査方向のタイミングの一例を示したタイムチャート。
【図８】メモリコントロール２２ｃの主走査方向のタイミングの一例を示したタイムチャート。
【図９】２次元方向の複数パッチのデータを同時にメモリに書き込む様子を例示した概略図。
【図１０】本実施例における動作例を説明するためのグラフ図。
【図１１】図５の基本フローチャートの中のステップ０６の具体例を示したフローチャート。
【図１２】図５の基本フローチャートの中のステップ０７の一例を示したフローチャート。
【図１３】本発明の他の実施例にかかる処理の一例を示したフローチャート。
【図１４】図１３のステップ３０３の詳細を示したフローチャート。
【図１５】本発明の別な実施例にかかる処理の一例を示したフローチャート。
【図１６】本発明のさらに別な実施例にかかる処理の一例を示したフローチャート。
【図１７】操作画面の一例を示した概略図。
【符号の説明】
【０１００】
２２  ＩＰＵ（画像処理ユニット）
２４  ＣＰＵ（中央処理装置）
２５  ＲＡＭ（ランダム・アクセス・メモリ）
【図１】
2007124319.tif 000003
【図２】
2007124319.tif 000004
【図３】
2007124319.tif 000005
【図４】
2007124319.tif 000006
【図５】
2007124319.tif 000007
【図６】
2007124319.tif 000008
【図７】
2007124319.tif 000009
【図８】
2007124319.tif 000010
【図９】
2007124319.tif 000011
【図１０】
2007124319.tif 000012
【図１１】
2007124319.tif 000013
【図１２】
2007124319.tif 000014
【図１３】
2007124319.tif 000015
【図１４】
2007124319.tif 000016
【図１５】
2007124319.tif 000017
【図１６】
2007124319.tif 000018
【図１７】
2007124319.tif 000019